(57)【要約】【課題】  使用する部材点数が少なく施工時間を短縮することができるユニットルームの壁パネルの連結構造を提供する。【解決手段】  表面板部１１とその両側に側縦枠部１２を有するユニットルームの壁パネルの連結構造である。隣接する壁パネル１の一方の壁パネル１の隣接側の側縦枠部１２に連結部２としての係合部２１を一体に形成するとともに、他方の壁パネル１の隣接側の側縦枠部１２に連結部２としての被係合部２２を一体に形成し、前記係合部２１を被係合部２２に直接係合して両壁パネル１を連結する。【選択図】        図１
2006037521.tif 000002
【特許請求の範囲】
【請求項１】
表面板部とその両側に側縦枠部を有するユニットルームの壁パネルの連結構造であって、隣接する壁パネルの一方の壁パネルの隣接側の側縦枠部に連結部としての係合部を一体に形成するとともに、他方の壁パネルの隣接側の側縦枠部に連結部としての被係合部を一体に形成し、前記係合部を被係合部に直接係合して両壁パネルを連結して成ることを特徴とするユニットルームの壁パネルの連結構造。
【請求項２】
連結部としての係合部および被係合部を壁パネルの表裏方向の厚み内に形成するとともに、係合部を表側から被係合部に係合可能とすることを特徴とする請求項１記載のユニットルームの壁パネルの連結構造。
【請求項３】
連結部として係合部を弾性を有する裏側に突出する凸部とするとともに被係合部を弾性を有する表側に開口する略コ字状の凹部とし、前記係合部の凸部の左右幅を被係合部の凹部内の左右空隙幅よりも大きく形成し、凸部及び凹部の弾性変形により係合した際に凸部の表側の傾斜面と凹部の裏側の傾斜面とが圧接することを特徴とする請求項１又は２記載のユニットルームの壁パネルの連結構造。
【請求項４】
壁パネルの左右の側縦枠部のうち一側の側縦枠部に係合部を設けるとともに他側の側縦枠部に被係合部を設けることを特徴とする請求項１乃至３のいずれか記載のユニットルームの壁パネルの連結構造。
【請求項５】
連結部としての係合部および被係合部に該連結部に進入した水を下方の床面へ導くための溝を形成することを特徴とする請求項１乃至４のいずれか記載のユニットルームの壁パネルの連結構造。
【請求項６】
連結部としての係合部および被係合部を側縦枠部の上下方向に複数設けることを特徴とする請求項１乃至５のいずれか記載のユニットルームの壁パネルの連結構造。
【請求項７】
係合部を被係合部に係合する際に被係合部の凹部内の左右空隙幅を拡張するとともに係合後に左右空隙幅を戻す拡張部材を設けることを特徴とする請求項３乃至６のいずれか記載のユニットルームの壁パネルの連結構造。
【請求項８】
コーナー部において略直角をなすように隣接する壁パネルを一体に形成することを特徴とする請求項１乃至７のいずれかに記載のユニットルームの壁パネルの連結構造。
【請求項９】
壁パネルの表面板部の下端縁を裏側に折曲して形成した下横枠部を床パンの周縁の載置部に載置するものであって、床パンの載置部の載置面から上向きに突出してその上下方向中央部が上下方向端部付近よりも小径のくびれ部となった突起部を設け、壁パネルの下横枠部にその端縁側の前記突起部のくびれ部のみが挿通される幅狭部と、該幅狭部に連通して前記突起部の下端部付近が被嵌される幅広部とからなる切欠を形成し、壁パネルの切欠の幅狭部を表側から床パンの載置部の突起部のくびれ部に挿通させるとともに、幅広部を突起部の下端部に被嵌載置することを特徴とする請求項１乃至８のいずれかに記載のユニットルームの壁パネルの連結構造。
【発明の詳細な説明】
【技術分野】
【０００１】
本発明は、ユニットルームの隣接する壁パネルを連結する連結構造に関するものである。
【背景技術】
【０００２】
従来より、複数の壁パネルを並設して形成するユニットルームが良く用いられている。ユニットルームは、一般的に、床パンの周縁に形成した載置部に壁パネルを載置するとともに、壁パネルの上端部に天井パネルを載置して天井面を形成するものである。
【０００３】
そして、ユニットルームの隣接する壁パネル同士の連結にあっては、壁パネルの側端部に連結具が取り付けられる取付部を設け、隣接する両壁パネルの前記取付部同士を突き合わせた状態でこれに連結具を取り付けることで連結していた（例えば特許文献１参照）。
【０００４】
しかしながら、このような従来のユニットルームにあっては、隣接する壁パネルを連結するのに上記のように壁パネルの他に別体の連結具を用いるものであり、使用する部材点数が多くなるとともに施工時間が長くかかるものであった。
【特許文献１】特開２００１−００３５８４号公報
【発明の開示】
【発明が解決しようとする課題】
【０００５】
本発明は上記の点に鑑みてなされたものであり、その目的とするところは、使用する部材点数が少なく施工時間を短縮することができるユニットルームの壁パネルの連結構造を提供することを課題とするものである。
【課題を解決するための手段】
【０００６】
上記課題を解決するために請求項１に係る発明にあっては、表面板部１１とその両側に側縦枠部１２を有するユニットルームの壁パネルの連結構造であって、隣接する壁パネル１の一方の壁パネル１の隣接側の側縦枠部１２に連結部２としての係合部２１を一体に形成するとともに、他方の壁パネル１の隣接側の側縦枠部１２に連結部２としての被係合部２２を一体に形成し、前記係合部２１を被係合部２２に直接係合して両壁パネル１を連結することを特徴とする。このような構成とすることで、隣接する壁パネル１を連結するのに従来のように壁パネル１の他に別体の連結具を用いる必要がなくなって使用する部材点数を少なくすることができるとともに、これに伴って施工時間を短縮することができるものである。
【０００７】
また、請求項２の発明は、請求項１の発明において、連結部２としての係合部２１および被係合部２２を壁パネル１の表裏方向の厚み内に形成するとともに、係合部２１を表側から被係合部２２に係合可能とすることを特徴とするものである。このように、連結部２（係合部２１及び被係合部２２）を壁パネル１の主体部の厚みよりも薄くして、連結スペースをとらずにユニットルーム内を広くすることができるとともに、ユニットルーム内である表側から壁パネル１を隣接する壁パネル１に係合することができて施工性が向上するものである。
【０００８】
また、請求項３の発明は、請求項１又は２の発明において、連結部２として係合部２１を弾性を有する裏側に突出する凸部とするとともに被係合部２２を弾性を有する表側に開口する略コ字状の凹部とし、前記係合部２１の凸部の左右幅を被係合部２２の凹部内の左右空隙幅よりも大きく形成し、凸部及び凹部の弾性変形により係合した際に凸部の表側の傾斜面と凹部の裏側の傾斜面とが圧接することを特徴とするものである。このように、連結部２が弾性を有することで適度な弾性力によって係合を保持することが可能となるとともに、係合部２１と被係合部２２とが傾斜面で圧接（弾接）することで、壁パネル１の表裏方向（奥行き方向）と左右方向とに圧接力を付与することが可能となる。
【０００９】
また、請求項４の発明は、請求項１乃至３の発明において、壁パネル１の左右の側縦枠部１２のうち一側の側縦枠部１２に係合部２１を設けるとともに他側の側縦枠部１２に被係合部２２を設けることを特徴とするものである。このようにすることで、係合部２１と被係合部２２とをそれぞれ逆側に形成した壁パネル１を作成する必要をなくして壁パネル１の種類を低減することが可能となる。
【００１０】
また、請求項５の発明は、請求項１乃至４の発明において、連結部２としての係合部２１および被係合部２２に該連結部２に進入した水を下方の床面へ導くための溝７を形成することを特徴とするものである。このようにすることで、防水性を向上させることができる
また、請求項６の発明は、請求項１乃至５の発明において、連結部２としての係合部２１および被係合部２２を側縦枠部１２の上下方向に複数設けることを特徴とするものである。このようにすることで、係合部２１と被係合部２２とを係合するのに上下方向において部分的に行うことができて、施工性が向上するものである。
【００１１】
また、請求項７の発明は、請求項３乃至６の発明において、係合部２１を被係合部２２に係合する際に被係合部２２の凹部内の左右空隙幅を拡張するとともに係合後に左右空隙幅を戻す拡張部材８を設けることを特徴とするものである。このようにすることで、係合部２１の凸部を被係合部２２の凹部に係合し易くなって施工性が向上するものである。
【００１２】
また、請求項８の発明は、請求項１乃至７の発明において、コーナー部において略直角をなすように隣接する壁パネル１を一体に形成することを特徴とするものである。このようにすることで、コーナー部の壁パネル１を先に自立させることが可能となって、施工性が向上するものである。
【００１３】
また、請求項９の発明は、請求項１乃至８の発明において、壁パネル１の表面板部１１の下端縁を裏側に折曲して形成した下横枠部１３ａを床パン３の周縁の載置部３２に載置するものであって、床パン３の載置部３２の載置面から上向きに突出してその上下方向中央部が上下方向端部付近よりも小径のくびれ部９ａとなった突起部９を設け、壁パネル１の下横枠部１３ａにその端縁側の前記突起部９のくびれ部９ａのみが挿通される幅狭部１５ａと、該幅狭部１５ａに連通して前記突起部９の下端部付近が被嵌される幅広部１５ｂとからなる切欠１５を形成し、壁パネル１の切欠１５の幅狭部１５ａを表側から床パン３の載置部３２の突起部９のくびれ部９ａに挿通させるとともに、幅広部１５ｂを突起部９の下端部に被嵌載置することことを特徴とするものである。このようにすることで、壁パネル１の倒れ防止ができるとともに、壁パネル１の床パン３への取り付け・取り外しが容易となって施工性が向上するものである。
【発明の効果】
【００１４】
本発明にあっては、隣接する壁パネルを連結するのに壁パネルの他に別体の連結具を用いる必要がなくなって使用する部材点数を少なくすることができるとともに、これに伴って施工時間を短縮することができるものである。
【発明を実施するための最良の形態】
【００１５】
以下、本発明の実施の形態について図面に基づいて説明する。ユニットルームは、本実施形態では浴室となるものであるが、特に限定されない。
【００１６】
ユニットルームは、図３、図４に示すように、床パン３の周縁に形成した載置部３２に壁パネル１を載置して床パン３の四周に壁パネル１を立設し、壁パネル１の上端部に天井パネル４を載置して形成される。
【００１７】
床パン３は、図１２に示すように、略水平の矩形状をした本体部の周縁から立上片３１を形成するとともに、この立上片３１の上端から外側に連設される水平片３２ａ及び、該水平片３２ａの外側端部から上方に立設される垂直片３２ｂとからなる略Ｌ字状をした載置部３２を形成し、この載置部３２の水平片３２ａの上面が壁パネル１の下端部が載置される載置面となる。なお、図１２に示す実施形態における壁パネル１の床パン３への載置については後述する。本実施形態では、床パン３は図３に示すように浴槽ＢＴが設置される浴槽側の床パン３ａと、洗い場側の床パン３ｂとで構成され、これら床パン３（３ａ，３ｂ）は建物の床下地上に載置されてユニットルームの床面となる。
【００１８】
壁パネル１は、図３，図１等に示すように、表面板部１１と、その両側に設けられる側縦枠部１２とで主体が構成される。本実施形態では、略矩形状をした鋼鈑等からなる平板の四周の端縁を裏側に折曲することで、表面板部１１および左右の側縦枠部１２と上下の横枠部１３を一体に形成してある。ここで、表側及び裏側は、壁パネル１のユニットルーム内側を表側、ユニットルーム外側を裏側というものとする。また、左右の側縦枠部１２には、本発明の隣接する壁パネル１同士を直に連結するための連結部２が一体に形成してあり、これについては後で詳述する。更に本実施形態では、表面板部１１の裏面側に石膏やその他の補強部材からなる補強材１４が貼着してあり、これによって壁パネル１の撓み強度（剛性）を高めて自己保形性を持たせて壁パネル１を自立可能に形成してある。
【００１９】
なお、本実施形態では上記のような壁パネル１としたが、その他に、略矩形状をした枠部の表側に表面板を貼着したもの等、表面板部とその両側に側縦枠部を有する壁パネルであれは特に限定されないものである。
【００２０】
天井パネル４は、図４に示すように略水平となった本体部４０と、該本体部４０の端縁から下方に連設される周縁部４１とからなる下方に開口する略箱状をしたもので、上記床パン３の四周に壁パネル１を立設して囲んだ状態で壁パネル１の上側の横枠部１３に被嵌するようにして載置する。
【００２１】
そして本発明においては、隣接する壁パネル１同士の連結にあたって、図３，図１等に示すように、隣接する一方の壁パネル１の隣接側の側縦枠部１２に連結部２としての係合部２１を一体に形成するとともに、他方の壁パネル１の隣接側の側縦枠部１２に連結部２としての被係合部２２を一体に形成し、係合部２１を被係合部２２に直接係合して両壁パネル１を別部材を用いず直に連結するものである。以下、連結部２の係合部２１及び被係合部２２について説明する。
【００２２】
本実施形態では、表面板部１１と左右の側縦枠部１２及び上下の横枠部１３は上述したように略矩形状をした平板の端縁を裏側に折曲することで一体に形成してあるが、更に側縦枠部１２の端縁を折曲して連結部２まで一体に形成してある。
【００２３】
壁パネル１の連結部２は、図３に示すように表面板部１１の表側の化粧面（即ちユニットルーム内側の面）に向かって右側の側縦枠部１２に係合部２１が形成されるとともに左側の側縦枠部１２に被係合部２２が形成される。係合部２１と被係合部２２は前記とは左右逆側に形成されるものであってもよいが、このように各壁パネル１において係合部２１と被係合部２２が形成される側を統一することで、係合部２１と被係合部２２とがそれぞれ逆側に形成された壁パネル１を作成する必要がなく、壁パネル１の種類を低減することが可能となる。
【００２４】
壁パネル１を直線状に連結する場合について図１に基づいて説明する。
【００２５】
まず係合部２１について説明する。係合部２１が形成される側縦枠部１２は、表面板部１１の壁パネル１外方側（補強材１４から離れる側）の端縁を裏側に折曲して形成してある。側縦枠部１２の長さは、補強材１４の表裏方向の厚みよりも短く形成してあり、連結部２（係合部２１及び被係合部２２）が壁パネル１の主体部（ここでは表面板部１１と補強材１４）の厚みよりも薄くしているため、連結スペースをとらずにユニットルーム内を広くすることができる。そして、この側縦枠部１２の裏側端縁からは、壁パネル１中心側（補強材１４に近付く側）に折曲されて途中で表側に屈曲した略く字状の係合部連設片２１ａと、該係合部連設片２１ａの壁パネル１中心側の端縁が折曲されて壁パネル１外方側に行くほど表側に位置するように傾斜した係合部傾斜片２１ｂとが形成されて、これら側縦枠部１２、係合部連設片２１ａ、係合部傾斜片２１ｂとで裏側に突出する凸部からなる係合部２１が形成されるものである。これにより、一枚の平板から表面板部１１、側縦枠部１２、上下の横枠部１３及び連結部２（係合部２１及び後述する被係合部２２）を折曲により一体に形成することが可能となり、また、このようにして形成された連結部２は弾性（ある程度の変形性）を有するものである。
【００２６】
次に被係合部２２について説明する。被係合部２２が形成される側縦枠部１２は、表面板部１１の壁パネル１外方側の端縁を裏側に折曲して形成してある。そしてこの側縦枠部１２の裏側端縁からは、壁パネル１外方側に折曲された左右片２２ａと、該左右片２２ａの壁パネル１外方側の端縁が表側に折曲された前後片２２ｂと、該前後片２２ｂの表側の端縁が折り返されて壁パネル１中心側に行くほど裏側に位置するように傾斜した傾斜連設片２２ｃと、該傾斜連設片２２ｃの壁パネル１内方側の端縁が折曲されて壁パネル１外方側に行くほど裏側に位置するように傾斜した被係合部傾斜片２２ｄとが形成されて、これら側縦枠部１２、左右片２２ａ、前後片２２ｂ、傾斜連設片２２ｃ、被係合部傾斜片２２ｄとで被係合部２２が形成される。被係合部２２は、その外郭が側縦枠部１２と左右片２２ａと前後片２２ｂとからなる略コ字状をして表側に開口する凹部となるもので、この被係合部２２の凹部に係合部２１としての凸部が挿入されて係合されるものであり、これについて説明する。
【００２７】
係合部２１の凸部の左右幅、即ち、係合部２１を形成する側縦枠部１２から係合部傾斜片２１ｂの壁パネル１内方側の端縁までの距離は、被係合部２２の凹部内の左右空隙幅、即ち、被係合部２２を形成する側縦枠部１２から被係合部傾斜片２２ｄの壁パネル１内方側の端縁までの距離よりも大きく形成してある。また、係合部２１の凸部の裏側への突出長さ、即ち、表面板部１１から係合部連設片２１ａまでの距離は、被係合部２２の凹部内の奥行き長さ、即ち、表面板部１１から左右片２２ａまでの距離と同じに形成してある。
【００２８】
このような係合部２１を被係合部２２へ係合するには、係合部２１の凸部を表側から被係合部２２の凹部内へと挿入していくのであるが、上述したように係合部２１の凸部の左右幅は被係合部２２の凹部内の左右空隙幅よりも大きく形成してあるため、係合部２１の係合部連設片２１ａの裏側面が被係合部２２の傾斜連設片２２ｃの表側面に当接する。ここで、力を加えて係合部２１を裏側へ向けて押し込むことで、前述したように係合部連設片２１ａと傾斜連設片２２ｃとが傾斜した状態で当接している係合部２１と被係合部２２とがその弾性によって変形して、被係合部２２の凹部内の左右空隙幅が係合部２１の凸部の左右幅よりも大きくなって乗り越えて、係合部２１が被係合部２２内に収容される。
【００２９】
係合部２１が被係合部２２内に収容されると、係合部傾斜片２１ｂの表側面と被係合部傾斜片２２ｄの裏側面とが圧接され、係合部２１の側縦枠部１２が被係合部２２の側縦枠部１２に当接するとともに、係合部連設片２１ａが被係合部２２の左右片２２ａに当接してがたつきなく係合されて、両壁パネル１は表面板部１１が面一となって連結される。
【００３０】
次に、コーナー部における壁パネル１の連結について図２に基づいて説明する。係合部２１については、上記図１に示す直線状に連結する場合と同じであるため説明は省略し、被係合部２２についても直線状に連結する場合と異なる部分について説明する。
【００３１】
コーナー部用の被係合部２２は、側縦枠部１２が表面板部１１の端縁を表側に折曲して形成されている。そして、この側縦枠部１２の表側端縁からは、壁パネル１中心側に折曲された前後片２２ｂと、該前後片２２ｂの壁パネル１中心側の端縁が裏側に折り返されて壁パネル１外方側に行くほど裏側に位置するように傾斜した傾斜連設片２２ｃと、該傾斜連設片２２ｃの裏側の端縁が折曲されて壁パネル１外方側に行くほど表側に位置するように傾斜した被係合部傾斜片２２ｄとが形成されて、これら側縦枠部１２、前後片２２ｂ、傾斜連設片２２ｃ、被係合部傾斜片２２ｄとで被係合部２２が形成される。このコーナー部の被係合部２２は、その外郭が表面板部１１と側縦枠部１２と前後片２２ｂとからなる略コ字状をしてユニットルーム内側に開口する凹部となるもので、この被係合部２２の凹部への係合部２１としての凸部の係合は上記直線状の場合の係合と同様である。
【００３２】
本発明においては、隣接する壁パネル１の一方の壁パネル１の隣接側の側縦枠部１２に連結部２としての係合部２１を一体に形成するとともに、他方の壁パネル１の隣接側の側縦枠部１２に連結部２としての被係合部２２を一体に形成し、前記係合部２１を被係合部２２に直接係合して両壁パネル１を連結するようにしたことで、隣接する壁パネル１を連結するのに従来のように壁パネル１の他に別体の連結具を用いる必要がなくなって使用する部材点数を少なくすることができるとともに、これに伴って施工時間を短縮することができるものである。
【００３３】
また、係合部２１を表側から被係合部２２に係合可能としたことで、ユニットルーム内である表側から壁パネル１を隣接する壁パネル１に係合することができて施工性が向上するものである。
【００３４】
また、係合部２１を弾性を有する凸部とするとともに被係合部２２を弾性を有する凹部とし、係合部２１の凸部の左右幅を被係合部２２の凹部内の左右空隙幅よりも大きく形成し、凸部及び凹部の弾性変形により係合した際に凸部の表側の傾斜面（即ち係合部傾斜片２１ｂの表側面）と凹部の裏側の傾斜面（被係合部傾斜片２２ｄの裏側面）とが圧接するようにしたことで、適度な弾性力によって係合を保持することが可能となるとともに、係合部２１と被係合部２２とが傾斜面で圧接することとなって壁パネル１の表裏方向と左右方向とに圧接力を付与することができるものである。
【００３５】
次に、図５に基づいて他の実施形態について説明する。本実施形態は、図１又は図２に示す実施形態において、係合部２１の凸部を被係合部２２の凹部に係合した際に左右方向に動き得る遊びが生じるようにしたものである。
【００３６】
上述したように、係合部２１が被係合部２２内に係合・収容された際、係合部傾斜片２１ｂの表側面と被係合部傾斜片２２ｄの裏側面とが圧接され、係合部連設片２１ａが被係合部２２の左右片２２ａに当接する。そして更に、図１に示すように壁パネル１を直線状に連結する場合では係合部２１の側縦枠部１２が被係合部２２の側縦枠部１２に当接し、図２に示すようにコーナー部の壁パネル１を連結する場合では係合部２１の側縦枠部１２が被係合部２２側の壁パネル１の表面板部１１に当接するのであるが、本実施形態においては、係合部２１の側縦枠部１２と、被係合部２２の側縦枠部１２あるいは表面板部１１との間に遊びとなる隙間Ｓが形成されるようにするものである。図５にコーナー部の壁パネル１を連結する場合を示す。これにより、壁パネル１の取付誤差を吸収することが可能となる。
【００３７】
更にこの時、図５に示すように、防水部材としてのパッキン５を隙間Ｓに嵌入することで、連結部２に隙間Ｓが形成されても水が進入するのを防止することができる。
【００３８】
また、図６に示すように、隙間Ｓに弾性を有する緩衝材６を嵌入するようにしてもよい。図６に示す実施形態においては、係合部２１の側縦枠部１２に壁パネル１内方側に屈曲する屈曲部１２ｂを形成するとともに、緩衝材６に前記屈曲部１２ｂの凹部に対応する部分に凸部６１を形成しておき、緩衝材６を隙間Ｓ内に嵌入した際に凸部６１が屈曲部１２ｂの凹部内に嵌入されて抜け止めがなされるものである。これにより、壁パネル１の取付誤差を吸収することが可能となるとともに、壁パネル１の振動によって緩衝材６が抜け落ちるのが防止される。なお、このような緩衝材６に防水性を持たせてもよいものである。
【００３９】
次に、図７に基づいて他の実施形態について説明する。本実施形態は、図１又は図２に示す実施形態において、係合部２１及び被係合部２２に、連結部２に進入した水を下方の床面へ導くための溝７を形成したものである。
【００４０】
上述したように、係合部２１が被係合部２２内に係合・収容された際、図１に示すように壁パネル１を直線状に連結する場合では係合部２１の側縦枠部１２が被係合部２２の側縦枠部１２に当接し、図２に示すようにコーナー部の壁パネル１を連結する場合では係合部２１の側縦枠部１２が被係合部２２側の壁パネル１の表面板部１１に当接するのであるが、この時本実施形態においては、係合部２１の側縦枠部１２と、被係合部２２の側縦枠部１２あるいは表面板部１１との間に溝７を形成するものである。図５にコーナー部の壁パネル１を連結する場合を示す。これにより、連結部２に進入した水を下方の床面へ導くことができて防水性を向上させることができる。
【００４１】
このような連結部２（係合部２１及び被係合部２２）は、壁パネル１の上下方向全長に亘って設けてもよいが、図８に示すように壁パネル１の上下方向に部分的に複数設けてもよい。このようにすることで、係合部２１と被係合部２２とを係合するのに上下方向において部分的に行うことができて、施工性が向上するものである。
【００４２】
また、壁パネル１の上下方向全長に亘って設ける場合でも、図１０に示すように係合部２１の上部Ｕにおいてはその折り返し角度を小さく、下部Ｌにおいては折り返し角度を大きくすることで、係合した際に上部Ｕは小さい弾性力で係合されるとともに下部Ｌは大きい弾性力で係合されることとなって、係合する際には下部Ｌのみ大きい力で係合すればよいとともに、外す際も下部Ｌのみ大きい力で外せばよいため、壁パネル１の設置・解体の際の施工性が向上するものである。
【００４３】
次に、図９に基づいて他の実施形態について説明する。本実施形態は、図１又は図２に示す実施形態において、係合部２１を被係合部２２に係合する際に被係合部２２の凹部内の左右空隙幅を拡張するとともに係合後に左右空隙幅を戻す拡張部材８を設けたものである。
【００４４】
拡張部材８は、中央片８１の左右両側に側片８２をヒンジ８３を介して連結したものである。ヒンジ８３は、図９（ａ）に示すように側片８２が中央片８１に対して若干裏側に回動した状態で停止するように規制されるとともに、図９（ｂ）に示すように側片８２の表側への回動は特に規制されないように形成してある。
【００４５】
このような拡張部材８を用いて係合する場合、図９（ａ）に示すように側片８２を中央片８１に対して若干裏側に回動した状態で被係合部２２の凹部の内面（前後片２２ｂと側縦枠部１２）に所謂つっかえ棒となるように嵌入して凹部内の左右空隙幅を拡張させる。そしてこの状態で係合部２１の凸部を凹部内に挿入し、拡張部材８の中央片８１又は側片８２を裏方に向けて押圧して側片８２が中央片８１に対して相対的に表側に回動させることで図９（ｂ）に示すように中央片８１が裏側に移動して被係合部２２の凹部内の左右空隙幅の拡張が解除されて元の状態に戻る。
【００４６】
このような構成とすることで、係合部２１の凸部を被係合部２２の凹部に係合し易くなって施工性が向上するものである。
【００４７】
次に、図１１に基づいて他の実施形態について説明する。本実施形態は、コーナー部において略直角をなすように隣接する壁パネル１を一体に形成したものである。これにより、コーナー部の壁パネル１を先に自立させることが可能となって、施工性が向上するものである。
【００４８】
次に、図１２に基づいて壁パネル１の床パン３への載置について説明する。本実施形態では、壁パネル１の表面板部１１の下端縁を裏側に折曲して下横枠部１３ａを形成してあり、この下横枠部１３ａを床パン３の周縁の載置部３２に載置するものである。
【００４９】
床パン３の載置部３２の載置面からは上向きに突出してその上下方向中央部が上下方向端部付近よりも小径のくびれ部９ａとなった突起部９が設けてある。また、壁パネル１の下横枠部１３ａには、その裏側端縁に前記突起部９のくびれ部９ａの径と略同幅となってくびれ部９ａのみが挿通される幅狭部１５ａと、この幅狭部１５ａに連通して前記突起部９の下端部付近のくびれ部９ａよりも大径となった部分が被嵌される幅広部１５ｂとからなる切欠１５が形成してある。
【００５０】
この壁パネル１を床パン３の載置部３２に載置するには、壁パネル１の切欠１５の幅狭部１５ａを表側から床パン３の載置部３２の載置面に突設した突起部９のくびれ部９ａに挿通させるとともに、幅広部１５ｂを突起部９の下端部に被嵌させて支持させるものである。これにより、壁パネル１の倒れ防止ができるとともに、壁パネル１の床パン３への取り付け・取り外しが容易となって施工性が向上するものである。
【図面の簡単な説明】
【００５１】
【図１】本発明の一実施形態の壁パネルの連結構造の要部断面図である。
【図２】同上の実施形態のコーナー部の壁パネルの連結構造の要部断面図である。
【図３】ユニットルームの天井パネル及び一部の壁パネルを省略した分解斜視図である。
【図４】ユニットルームの天井パネルの分解斜視図である。
【図５】同上の他の実施形態の壁パネルの連結構造の要部断面図である。
【図６】同上の更に他の実施形態の壁パネルの連結構造の要部断面図である。
【図７】同上の更に他の実施形態の壁パネルの連結構造の要部断面図である。
【図８】同上の更に他の実施形態の壁パネルの連結部付近の斜視図である。
【図９】同上の更に他の実施形態の壁パネルの連結構造を示し、（ａ）は係合前の状態のの要部断面図であり、（ｂ）は係合後の状態の要部断面図である。
【図１０】同上の更に他の実施形態の壁パネルの連結部付近の斜視図である。
【図１１】（ａ）（ｂ）は同上の更に他の実施形態のコーナー部の壁パネルの斜視図である。
【図１２】同上の更に他の実施形態の壁パネルの床パンへの載置を説明する斜視図である。
【符号の説明】
【００５２】
１    壁パネル
１１  表面板部
１２  側縦枠部
２    連結部
２１  係合部
２２  被係合部
【図１】
2006037521.tif 000003
【図２】
2006037521.tif 000004
【図３】
2006037521.tif 000005
【図４】
2006037521.tif 000006
【図５】
2006037521.tif 000007
【図６】
2006037521.tif 000008
【図７】
2006037521.tif 000009
【図８】
2006037521.tif 000010
【図９】
2006037521.tif 000011
【図１０】
2006037521.tif 000012
【図１１】
2006037521.tif 000013
【図１２】
2006037521.tif 000014